(57)【要約】【課題】第１ネットワークを介して送信されるデータを第２ネットワークに接続された出力装置上で利用可能とし、さらに、第２ネットワーク内の共有データを、第２ネットワークの外部に送信可能とする技術を提供することを目的とする。【解決手段】ネットワークシステム１は、ファクシミリ装置として機能する複合機１０と、画像を表示するテレビ２０とが、ＬＡＮ３０を介してデータ通信可能に接続されて構成される。複合機１０は、第１ネットワークを介して受信したデータを表示部２０８に表示可能なデータ形式に変換しテレビ２０に送信する。テレビ２０は、受信したデータを表示部２０８に表示し、そのデータ対し利用者により送信指令が出されると、データ送信指令を複合機１０に送信する。複合機１０は、その指令を条件に、利用者により選択されたデータを、第１ネットワークを介して他の通信装置にデータ送信可能な形式のデータに変換してデータ送信を行う。【選択図】図５
2007180678.tif 000002
【特許請求の範囲】
【請求項１】
第１ネットワークに接続され他の通信装置とデータ通信可能な通信装置と、出力装置と、前記通信装置及び前記出力装置からアクセス可能なデータを記憶する記憶装置と、が第２ネットワークで接続されて構成されるネットワークシステムであって、
前記通信装置は、
前記第１ネットワークを介して前記他の通信装置との間でデータ通信を行う第１通信手段と、
前記記憶装置が記憶するデータを前記出力装置が出力可能なデータ形式に変換する変換手段と、
前記第２ネットワークを介して、前記出力装置との間でデータ通信を行う第２通信手段と、
前記変換手段により変換されたデータを前記出力装置へ送信するよう前記第２通信手段を制御する第２通信制御手段と、
前記記憶装置が記憶する第１データと、該第１データを特定するために前記変換手段により変換された第２データとの対応関係を記憶する関係記憶手段と、
前記出力装置からなされた、前記他の通信装置へのデータ送信指令に基づいて、前記記憶装置が記憶する前記第１データを送信するよう前記第１通信手段を制御する第１通信制御手段と、
を備え、
前記出力装置は、
前記第２ネットワークを介して、前記通信装置との間でデータ通信を行う出力装置側通信手段と、
前記出力装置側通信手段が、前記通信装置から受信したデータを出力する出力手段と、  前記出力手段により出力されるデータを選択操作する選択操作手段と、
前記選択操作手段により前記第２データの選択操作がなされた際、前記データ送信指令を出す指令手段と、
前記指令手段による前記データ送信指令を送信するよう前記出力装置側通信手段を制御する出力装置側通信制御手段と、
を備えることを特徴とするネットワークシステム。
【請求項２】
前記記憶装置は、前記第２ネットワークに接続された装置によって利用されるデータを前記第１データとして記憶し、
前記選択操作手段により前記第１データを特定する第２データが選択操作された際、前記変換手段は、該第１データを前記第１通信手段を介して送信可能なデータ形式に変換し、前記第１通信手段は、変換したデータを前記他の通信装置に送信することを特徴とする請求項１に記載のネットワークシステム。
【請求項３】
出力装置と、利用可能なデータを記憶する記憶装置と、が第２ネットワークで接続可能に構成されており、かつ、第１ネットワークに接続された通信装置であって、
前記第１ネットワークを介して前記他の通信装置との間でデータ通信を行う第１通信手段と、
前記記憶装置が記憶するデータを前記出力装置が出力可能なデータ形式に変換する変換手段と、
前記第２ネットワークを介して、前記出力装置との間でデータ通信を行う第２通信手段と、
前記変換手段により変換されたデータを前記出力装置へ送信するよう前記第２通信手段を制御する第２通信制御手段と、
前記記憶装置が記憶する第１データと、該第１データを特定するために前記変換手段により変換された第２データとの対応関係を記憶する関係記憶手段と、
前記出力装置からなされた、前記他の通信装置へのデータ送信指令に基づいて、前記記憶装置が記憶する前記第１データを送信するよう前記第１通信手段を制御する第１通信制御手段と、
を備えることを特徴とする通信装置。
【請求項４】
出力装置と、利用可能なデータを記憶する記憶装置と、が第２ネットワークで接続可能に構成されており、かつ、第１ネットワークに接続された通信装置に搭載されたコンピュータが読み取り可能なプログラムであって、
該コンピュータを、
前記第１ネットワークを介して前記他の通信装置との間でデータ通信を行う第１通信手段と、
前記記憶装置が記憶するデータを前記出力装置が出力可能なデータ形式に変換する変換手段と、
前記第２ネットワークを介して、前記出力装置との間でデータ通信を行う第２通信手段と、
前記変換手段により変換されたデータを前記出力装置へ送信するよう前記第２通信手段を制御する第２通信制御手段と、
前記記憶装置が記憶する第１データと、該第１データを特定するために前記変換手段により変換された第２データとの対応関係を記憶する関係記憶手段と、
前記出力装置からなされた、前記他の通信装置へのデータ送信指令に基づいて、前記記憶装置が記憶する前記第１データを送信するよう前記第１通信手段を制御する第１通信制御手段と、
として機能させるためのプログラム。
【発明の詳細な説明】
【技術分野】
【０００１】
本発明は、サーバに保存されたコンテンツ及びデータを共有するネットワークシステム、及び、データを送受信する通信装置に関する。
【背景技術】
【０００２】
近年、様々な電化製品をローカルエリアネットワーク（以下、ＬＡＮと称す。）で接続するネットワークシステムが一般家庭に普及している（例えば、特許文献１参照。）。
【０００３】
このような状況下において、パーソナルコンピュータ（以下、ＰＣと称す。）やテレビ番組録画装置，モバイル機器等をＬＡＮで接続して、静止画，動画，音楽データを共有することができるように、ＤＬＮＡ（登録商標）（Ｄｉｇｉｔａｌ  Ｌｉｖｉｎｇ  Ｎｅｔｗｏｒｋ  Ａｌｌｉａｎｃｅ）という規格が提唱されている。
【０００４】
この規格を採用したネットワークシステムでは、家庭内のＰＣに保存されたコンテンツ等を、ＬＡＮを介して他の電化製品で操作、鑑賞することができる（例えば、非特許文献１参照。）。
【０００５】
つまり、ＤＬＮＡ（登録商標）規格は、サーバに保存されたコンテンツ等を共有する技術である。
【０００６】
【特許文献１】特開２００２−３１９９４７号公報
【非特許文献１】永井美智子、“ＰＣ／家電の相互接続性を保証するＤＬＮＡ、各社から対応製品も登場”、［ｏｎｌｉｎｅ］、２００４年１０月６日、ＣＮＥＴ  Ｊａｐａｎ編集部、［２００５年９月１６日検索］、インターネット＜ＵＲＬ：  ｈｔｔｐ：／／ｊａｐａｎ．ｃｎｅｔ．ｃｏｍ／ｎｅｗｓ／ｔｅｃｈ／ｓｔｏｒｙ／０，２００００４７６７４，２００７４９８７，００．ｈｔｍ  ＞
【発明の開示】
【発明が解決しようとする課題】
【０００７】
しかしながら、複数のネットワーク対応機器をネットワークで接続し、様々なデータを共有するこのようなネットワークシステムでは、このネットワークの外部から送信されてきた一部のネットワーク対応機器では取り扱うことができない形式のデータを共有することができなかった。
【０００８】
本発明は、こうした問題に鑑みなされたものであり、第１ネットワークに接続された通信装置と、出力装置と、データを記憶する記憶装置と、が第２ネットワークで接続されたネットワークシステムにおいて、第１ネットワークを介して送信されるデータを第２ネットワークに接続された出力装置上で利用可能とし、さらに、第２ネットワーク内の共有データを、第２ネットワークの外部に送信可能とする技術を提供することを目的とする。
【課題を解決するための手段】
【０００９】
上記目的を達成するためになされた請求項１に記載の発明は、第１ネットワークに接続され他の通信装置とデータ通信可能な通信装置と、出力装置と、前記通信装置及び前記出力装置からアクセス可能なデータを記憶する記憶装置と、が第２ネットワークで接続されて構成されるネットワークシステムであって、前記通信装置は、前記第１ネットワークを介して前記他の通信装置との間でデータ通信を行う第１通信手段と、前記記憶装置が記憶するデータを前記出力装置が出力可能なデータ形式に変換する変換手段と、前記第２ネットワークを介して、前記出力装置との間でデータ通信を行う第２通信手段と、前記変換手段により変換されたデータを前記出力装置へ送信するよう前記第２通信手段を制御する第２通信制御手段と、前記記憶装置が記憶する第１データと、該第１データを特定するために前記変換手段により変換された第２データとの対応関係を記憶する関係記憶手段と、前記出力装置からなされた、前記他の通信装置へのデータ送信指令に基づいて、前記記憶装置が記憶する前記第１データを送信するよう前記第１通信手段を制御する第１通信制御手段と、を備え、前記出力装置は、前記第２ネットワークを介して、前記通信装置との間でデータ通信を行う出力装置側通信手段と、前記出力装置側通信手段が、前記通信装置から受信したデータを出力する出力手段と、前記出力手段により出力されるデータを選択操作する選択操作手段と、前記選択操作手段により前記第２データの選択操作がなされた際、前記データ送信指令を出す指令手段と、前記指令手段による前記データ送信指令を送信するよう前記出力装置側通信手段を制御する出力装置側通信制御手段と、を備えることを特徴とするネットワークシステムである。
【００１０】
このように構成されたネットワークシステムでは、まず、第１ネットワークで対象となるデータを変換手段により第２ネットワークで対象となるデータに形式変更する一方で、第２データから第１ネットワークの機能を実行可能ならしめるために、第１データと第２データの対応関係を関係記憶手段に記憶しておく。そして、第２ネットワークからその機能を実行させるに際し、その対応関係に従い第１ネットワークの機能の対象となる第１データを特定する。換言すれば、変換手段で、データ形式を第１ネットワークから第２ネットワークで利用できる形式に移行可能とする一方で、第２ネットワークでの第２データの選択により、関係記憶手段に記憶された対応関係に従って第１データを第１ネットワークへ送信可能としている。これにより、第２ネットワークで、第１ネットワークを介して受信したデータを取り扱うことができると共に、第２ネットワークで利用したデータを第１ネットワークへ送信できる。
【００１１】
そのため、本ネットワークシステムの利用者は、通信装置が受信したデータの形式を気にすることなく出力装置でデータの閲覧ができる。さらに、出力装置は第２データだけを選択のために記憶しておき、実際に送信される第１データは記憶装置が備えていればよいので、第１データを第２データと併せて記憶する必要がなく、出力装置の記憶領域の使用を節約できる。その上、利用者は通信装置の設置場所へ行き、データ送信指示を出さなくても第２ネットワーク内の出力装置があるところならどこからでもデータ送信ができる。
【００１２】
ここでいう第２データとは、出力装置で出力可能であり、第１データを特定するだけの役割を果たせばよいので、第１データをサムネイル化した画像であっても、第１データを縮小表示した画像であってもよい。さらには、文字情報からなるものであってもよい。
【００１３】
なお、データとは第１データ及び第２データを含んでいるものである。
【００１４】
また、請求項２に記載の発明は、前記記憶装置は、前記第２ネットワークに接続された装置によって利用されるデータを前記第１データとして記憶し、前記選択操作手段により前記第１データを特定する第２データが選択操作された際、前記変換手段は、該第１データを前記第１通信手段を介して送信可能なデータ形式に変換し、前記第１通信手段は、変換したデータを前記他の通信装置に送信することを特徴とする請求項１に記載のネットワークシステムである。
【００１５】
このネットワークシステムによれば、変換手段により第２ネットワークで利用対象となっているすべてのデータを、第１ネットワークで対象となるデータに形式変更し、第２データの操作によって第１データを第１ネットワークへ送信することができる。したがって、当該ネットワークシステムは、第１ネットワークを介して送信されてきたデータ以外のデータであっても、第２ネットワーク外の通信装置へデータ送信することが可能であり、さらに、利用者は送信したいデータの形式を気にすることなく第１送信手段を介した送信指令を出すことができる。
【００１６】
なお、第２ネットワークシステムに接続された装置とは、通信装置及び出力装置のことであり、さらに、これら以外に第２ネットワークシステムに接続された装置のことを示すものでもある。
【００１７】
さらに、請求項３に記載の発明は、出力装置と、利用可能なデータを記憶する記憶装置と、が第２ネットワークで接続可能に構成されており、かつ、第１ネットワークに接続された通信装置であって、前記第１ネットワークを介して前記他の通信装置との間でデータ通信を行う第１通信手段と、前記記憶装置が記憶するデータを前記出力装置が出力可能なデータ形式に変換する変換手段と、前記第２ネットワークを介して、前記出力装置との間でデータ通信を行う第２通信手段と、前記変換手段により変換されたデータを前記出力装置へ送信するよう前記第２通信手段を制御する第２通信制御手段と、前記記憶装置が記憶する第１データと、該第１データを特定するために前記変換手段により変換された第２データとの対応関係を記憶する関係記憶手段と、前記出力装置からなされた、前記他の通信装置へのデータ送信指令に基づいて、前記記憶装置が記憶する前記第１データを送信するよう前記第１通信手段を制御する第１通信制御手段と、を備えることを特徴とする通信装置である。
【００１８】
即ち、この通信装置は、請求項１に記載のネットワークシステムを実現するためのものであり、請求項１に記載のネットワークシステムと同様の効果を得ることができる。
【００１９】
また、請求項４に記載の発明は、出力装置と、利用可能なデータを記憶する記憶装置と、が第２ネットワークで接続可能に構成されており、かつ、第１ネットワークに接続された通信装置に搭載されたコンピュータが読み取り可能なプログラムであって、該コンピュータを、前記第１ネットワークを介して前記他の通信装置との間でデータ通信を行う第１通信手段と、前記記憶装置が記憶するデータを前記出力装置が出力可能なデータ形式に変換する変換手段と、前記第２ネットワークを介して、前記出力装置との間でデータ通信を行う第２通信手段と、前記変換手段により変換されたデータを前記出力装置へ送信するよう前記第２通信手段を制御する第２通信制御手段と、前記記憶装置が記憶する第１データと、該第１データを特定するために前記変換手段により変換された第２データとの対応関係を記憶する関係記憶手段と、前記出力装置からなされた、前記他の通信装置へのデータ送信指令に基づいて、前記記憶装置が記憶する前記第１データを送信するよう前記第１通信手段を制御する第１通信制御手段として機能させるためのプログラムである。
【００２０】
このようなプログラムによって制御されるコンピュータシステムは、請求項３に記載の通信装置の一部を構成することができ、同通信装置と同様の作用・効果を得ることができる。
【００２１】
なお、このようなプログラムは、例えば、フレキシブルディスク，光磁気ディスク，ＣＤ−ＲＯＭ，ＤＶＤ−ＲＯＭ，ハードディスク，ＲＯＭ，ＲＡＭ等のコンピュータ読み取り可能な記録媒体に記録され、必要に応じてコンピュータにロードして起動することにより用いることができ、また、ネットワークを介してロードして起動することにより用いることができる。
【発明を実施するための最良の形態】
【００２２】
（第１実施形態）
以下に本発明の第１実施形態を図面とともに説明する。
【００２３】
図１はネットワークシステム１の構成を表すブロック図である。
【００２４】
ネットワークシステム１は、図１に示すように、ファクシミリ装置として機能する複合機１０と、画像を表示するテレビ２０とが、ＬＡＮ３０を介してデータ通信可能に接続されている。
【００２５】
複合機１０は、ＣＰＵ，ＲＯＭ，ＲＡＭ等（図示せず。）を備え、複合機１０全体の動作を制御する制御部１００と、画像形成手段としての記録部１０２と、画像読取手段としての読取部１０４と、マイクとしての音声入力部１０６と、スピーカとしての音声出力部１０８と、書き込み可能な記憶媒体（メモリカードやハードディスク等）を有する記憶部１１０と、公衆回線である電話回線４０を介して他の通信装置との間でデータ通信を行う回線通信部１１２と、ＬＡＮ３０を介してテレビ２０との間でデータ通信を行う通信部１１４と、利用者により操作可能な複数の操作キーから成る操作部１１６と、各種情報を表示する表示部１１８とから構成される。
【００２６】
この複合機１０は、読取部１０４及び回線通信部１１２等を利用したファクシミリとして動作することが可能である（以下、読取部１０４及び回線通信部１１２等を利用したファクシミリ送受信機能をファクシミリ機能と称す。）。
【００２７】
なお、制御部１００のＲＡＭ内には、回線通信部１１２を介して受信したファクシミリデータを一時的に記憶するためのバッファが設けられている。
【００２８】
また、記憶部１１０の記憶領域内には、図２に示すように、静止画データのファイル（以下、イメージ・ファイルと称す。）を格納するイメージ・フォルダ１１０ａと、音楽データのファイル（以下、オーディオ・ファイルと称す。）を格納するオーディオ・フォルダ１１０ｃと、動画データのファイル（以下、ビデオ・ファイルと称す。）を格納するビデオ・フォルダ１１０ｄが設けられている。
【００２９】
そして、イメージ・フォルダ１１０ａ内には、イメージ・ファイルＦ１が格納されているとともに、受信ファクシミリデータをＬＡＮ３０に接続された機器が利用できるデータ形式に変換したファイル、及び、送信ファクシミリデータファイル（以下、両ファイルをファクシミリ内容を示すものであるためファクシミリイメージ・ファイルと称す。）を格納するファクシミリ・フォルダ１１０ｂが設けられている。このファクシミリ・フォルダ１１０ｂには、ファクシミリイメージ・ファイルＦ２が格納されていると共に、ファクシミリ機能の動作を開始させる指示を出す際に選択されるファクシミリアイコンＩ１（後述）をテレビ２０の表示部２０８に表示させるためのファクシミリ仮想ファイルＦ２０が格納されている。
【００３０】
またオーディオ・フォルダ１１０ｃ内には、オーディオ・ファイルＦ３が格納され、ビデオ・フォルダ１１０ｄ内には、ビデオ・ファイルＦ４が格納される。
【００３１】
テレビ２０は、テレビ２０全体の動作を制御する制御部２００と、ＬＡＮ３０を介して複合機１０との間でデータ通信を行う通信部２０２と、スピーカからなる音声出力部２０４と、テレビを遠隔操作可能にするテレビリモコン（図示せず。）やマウス，キーボード等から成る操作部２０６と、画像を表示する表示部２０８と、テレビリモコンからの信号を受信するリモコン受信部２１０と、複合機１０から送信されるデータを記憶する記憶部２１２から構成される。
【００３２】
なお、表示部２０８は、操作部２０６により行われる操作に基づいて、記憶部２１２や記憶部１１０に記憶されたファイルの選択や、ファクシミリ機能の動作を開始させる指示を出すためのファイル選択画面を表示する。
【００３３】
このファイル選択画面は、図３に示すように、イメージ・フォルダ１１０ａに格納されているイメージ・ファイルＦ１をイメージ・ファイルとして表示するフォト表示領域Ｈ１と、ファクシミリ・フォルダ１１０ｂに格納されているファクシミリイメージ・ファイルＦ２をファクシミリイメージ・ファイルとして表示するファクシミリ表示領域Ｈ２と、オーディオ・フォルダ１１０ｃに格納されているオーディオ・ファイルＦ３をオーディオ・ファイルとして表示するオーディオ表示領域Ｈ３と、ビデオ・フォルダ１１０ｄに格納されているビデオ・ファイルＦ４をビデオ・フォルダとして表示するビデオ表示領域Ｈ４とに分割されている。
【００３４】
なお、各表示領域に表示される各ファイルは、各フォルダ（１１０ａ，１１０ｂ，１１０ｃ，１１０ｄ）に格納されているファイルのサムネイル画像（図３では、イメージ・ファイル１，ファクシミリイメージ・ファイル１，オーディオ・ファイル１，ビデオ・ファイル１など）であり、そのサムネイルを操作部２０６により選択することで、記憶部１１０に格納されているそのサムネイルに対応したファイルを複合機１０に送信要求し、表示部２０８に表示するよう構成されている。
【００３５】
さらに、ファクシミリ表示領域Ｈ２内には、ファクシミリ機能の動作を開始させる指示を出す際に選択されるファクシミリアイコンＩ１が設けられている。
【００３６】
このファクシミリアイコンＩ１の上に、操作部２０６を用いてファクシミリ送信したいファイルのサムネイルをドラッグし、ドロップすることで、複合機１０にファクシミリ送信指令が送られ、制御部１００によるファクシミリ送信処理が行われる。その時送信されるデータは、ドラッグ、ドロップされたファイルのサムネイルに対応した記憶部１１０に記憶されたファイルである。
【００３７】
本第１実施形態において、ＬＡＮ３０に接続された複合機１０及びテレビ２０は、ネットワーク対応機器であり、ＬＡＮ３０を介して他のネットワーク対応機器とデータ通信が可能である。
【００３８】
なお、本第１実施形態では、ＬＡＮ３０の外部に接続された通信装置と複合機１０との間でやり取りするデータの内、複合機１０以外のネットワーク対応機器が利用できない形式のデータとしてファクシミリデータを例として説明するが、もちろんそれ以外のデータ形式であってもよい。
【００３９】
これらＬＡＮ３０に接続された複合機１０、テレビ２０、その他機器は、例えば、ＵＰｎＰ（Ｕｎｉｖｅｒｓａｌ  Ｐｌｕｇ  ａｎｄ  Ｐｌａｙ：登録商標）の技術仕様に準拠したマルチキャストパケットを利用してお互いを自動的に検出して、制御することができる。そのため、各機器の状態の変化、例えば、記憶しているファイルの更新や削除、装置への新たな機能の追加等の変化も逐次ＬＡＮ内の各機器に報告される。そのため表示部２０８には常に最新の記憶部１１０内の構成が表示されている。
【００４０】
続いて、複合機１０の制御部１００が実施するファクシミリ送受信処理の動作について説明する。
【００４１】
図４はＬＡＮ３０内に複合機１０以外のネットワーク対応機器が接続されているかを確認するための処理である。まず、制御部１００は、ＬＡＮ３０内にネットワーク対応機器が接続されているか否かを確認する（Ｓ４０５）。この確認は例えば、ＵＰｎＰ（登録商標）のマルチキャスト等によって実現される。
【００４２】
ここで、複合機１０以外のネットワーク対応機器からの応答があれば、ＬＡＮ３０内にネットワーク対応機器が存在していると判断して（Ｓ４０５：ＹＥＳ）、複合機１０はネットワーク対応ファクシミリ機能を備える複合機として動作する（Ｓ４１０）。複合機１０は、ＬＡＮ３０内にネットワーク対応機器が確認されている間はネットワーク対応ファクシミリとして機能し続ける。一方、複合機１０以外からの応答が無ければ、ＬＡＮ３０内にネットワーク対応機器が存在していないと判断して（Ｓ４０５：ＮＯ）、常にＬＡＮ３０内にネットワーク対応機器が接続されているか否かを確認し続ける以外は通常のファクシミリ機能のみを備える複合機として動作する（Ｓ４１５）。
【００４３】
このように、複合機１０以外にＬＡＮ３０内に他のネットワーク対応機器が存在しない場合、複合機１０は通常のファクシミリ機能を実行することで、ネットワーク対応ファクシミリで利用される各種データを保存する記憶部１１０もファクシミリ送受信のためだけの記憶領域として活用できる。そのため、より多くのファクシミリデータの保存が可能となる。また、ネットワーク対応ファクシミリよりも通常のファクシミリの方が機能的にシンプルであるため、余分な機能動作を必要とせず、動作に必要なメモリリソースの節約ができる。
【００４４】
このネットワーク対応機器確認処理は、制御部１００が停止（電源オフ）されるまで繰り返される処理である。
【００４５】
なお、本第１実施形態におけるネットワーク対応ファクシミリとは、受信または送信ファクシミリデータをＬＡＮ３０に接続されたネットワーク対応機器が利用可能なデータ形式（第２ネットワークで対象となるデータの形式）に変換し、それらネットワーク対応機器との間でその変換したファクシミリデータをやり取りが可能なファクシミリを指し、さらにファクシミリデータに限らず、イメージデータやオーディオデータ、ビデオデータ等を記憶し、サーバとしても機能する複合機を例としている。
【００４６】
以下、ネットワーク対応ファクシミリとして機能する複合機１０の動作について説明する。
【００４７】
図５は、複合機１０とテレビ２０との間でやり取りされる各種データの伝送手順、複合機１０及びテレビ２０で実行されるファクシミリ送受信に関わる処理、利用者が行う操作等を、時系列に沿って示したタイミングチャートである。本第１実施形態におけるこのタイミングチャートは、複合機１０がファクシミリ送受信ファイルを記憶している場合の例である。
【００４８】
まず、複合機１０は、電話回線を介して送信されてきたファクシミリデータを受信すると［図５（１）参照］、図６のフローに示すようにファクシミリ受信処理を行う。
【００４９】
ファクシミリ受信処理では、複合機１０は、一般的なファクシミリデータの圧縮方式であるＭＨ（Ｍｏｄｉｆｉｅｄ  Ｈｕｆｆｍａｎ）／ＭＲ（Ｍｏｄｉｆｉｅｄ  Ｒｅｌａｔｉｖｅ  Ｅｌｅｍｅｎｔ  ＡＤｄｒｅｓｓ）形式でデータを受信し（Ｓ６０５）、制御部１００のＲＡＭ内のバッファに一時的に格納する。
【００５０】
そして、制御部１００は、その受信したデータをＬＡＮ３０に接続されたテレビ２０の表示部２０８に表示するため、バッファに格納されたＭＨ／ＭＲ形式のファクシミリデータを、例えばＪＰＥＧ形式の画像データに変換し（Ｓ６１０）、ファクシミリ・フォルダ１１０ｂにファクシミリイメージ・ファイルＦ２として記憶する（Ｓ６１５）。さらに、変換された画像データを基に、その変換された画像データを特定し、かつ、ファイル選択画面に表示させるためのＪＰＥＧ形式のサムネイル用画像データを作成する（Ｓ６２０）。このＪＰＥＧ形式に変換された画像データとその画像データを特定するサムネイル画像との対応関係は図１２のように関係付けられ、記憶部１１０に記憶される。そして後述するように、その対応関係はファイル選択画面においてサムネイルを選択することによるファイル選択時に、その選択したサムネイルに対応する記憶部１１０ｂに記憶されたファクシミリイメージ・ファイルＦ２を特定するために利用される。
【００５１】
なお、変換作成されるＪＰＥＧ形式のデータは、テレビ２０の表示部２０８にて表示出力可能なデータ形式であり、例えば、ＧＩＦ形式のデータやＴＩＦＦ形式のデータ等でもよく、ネットワーク対応機器が利用可能なデータ形式であればよい。
【００５２】
また、サムネイル用画像データは変換された画像データを基に作成しているが、制御部１００のＲＡＭ内のバッファに格納されたＭＨ／ＭＲ形式のデータから作成するようにしてもよい。その場合、ＪＰＥＧ形式のデータを作り、さらにそれを元にサムネイルを作成するよりも、一度にＭＨ／ＭＲ形式のデータからＪＰＥＧ形式のデータとサムネイルを作成することができるので、サムネイル作成完了までの時間を短縮することができる。さらに、ＵＰｎＰ（登録商標）のマルチキャスト等により、複合機１０が、ＬＡＮ３０に接続された各機器に対し、どのような形式のデータなら利用可能かを問い、それに対する各機器からの応答によって変換するデータ形式を決定するようにしてもよい。そうすれば、複合機１０が作成したデータの形式が、ＬＡＮ３０内の各機器に非対応の形式となってしまうことがない。
【００５３】
ＪＰＥＧ形式の画像データに変換後は、バッファに格納されたＭＨ／ＭＲ形式のデータは削除される。
【００５４】
そして、そのサムネイル用画像データをテレビ２０に送信し［図５（２）参照］、テレビ２０は受信したサムネイル用画像データを記憶部２１２に記憶する。これにより、表示部２０８に表示されるファイル選択画面のファクシミリ領域Ｈ２の中にファクシミリイメージ・ファイルとしてサムネイル画像が表示される。なお、このサムネイル用画像データは受信したファクシミリデータをそのまま縮小表示したものであってもよいし、ファクシミリイメージ特有のアイコンであってもよく、利用者が記憶部１１０内に保存されているファイルを識別可能に表示されていればよい。
【００５５】
ここで利用者が、ファクシミリ領域に表示されているサムネイルを操作部２０６により選択することで［図５（３）参照］、どのサムネイルを選択したかという選択情報が複合機１０に送られ［図５（４）参照］、選択したサムネイルにより特定されるファクシミリイメージ・ファイルＦ２がファクシミリ・フォルダ１１０ｂから読み出され、複合機１０よりテレビ２０に送信される［図５（５）参照］。それにより、表示部２０８上にファクシミリデータが表示され閲覧が可能となっている。さらに、表示されたファクシミリデータに対し、操作部２０６により文字やイラストを追加して編集することも可能となっている［図５（６）参照］。そのときの編集内容は編集情報として随時複合機１０に送信され［図５（７）参照］、利用者による保存指示により編集後のファクシミリデータはファクシミリイメージ・ファイルＦ２としてファクシミリ・フォルダ１１０ｂに更新保存される。そして、それと共にサムネイル用画像データ作成も行われ、ＵＰｎＰ（登録商標）のマルチキャストにより更新されたファクシミリイメージ・ファイルＦ２のサムネイル画像をファクシミリ表示領域Ｈ２に表示することができる。
【００５６】
なお、閲覧、編集できるのはファクシミリイメージ・ファイルＦ２に限られず、ファイル選択画面に表示されている他の種類のファイルも同様に閲覧、編集等することができる。
【００５７】
続いて、本ネットワークシステム１の利用者が、ファクシミリ送信したいファイルのサムネイルをテレビ２０の操作部２０６によりファイル選択画面内から選択し、その選択したサムネイルをファクシミリ領域Ｈ２内のファクシミリ送信指示アイコンＩ１上に、ドラッグしてドロップする［図５（８）参照］。そして、その操作が選択したサムネイルにより特定されるファクシミリ・フォルダ１１０ｂに記憶されているファクシミリイメージ・ファイルＦ２をファクシミリ送信するという命令として複合機１０に伝えられる［図５（９）参照］。
【００５８】
その命令により、複合機１０はテレビ２０に対し選択されたファイルのファクシミリの送信先要求を送信し［図５（１０）参照］、利用者へ送信先電話番号入力を促す表示を表示部２０８にする。そして、テレビ２０の操作部２０６による利用者からの送信先電話番号が入力されると［図５（１１）参照］、その電話番号が複合機１０に送信される［図５（１２），（１３）参照］。
【００５９】
続いて、複合機１０では、送信するよう選択されたファクシミリイメージ・ファイルＦ２の形式をＪＰＥＧ形式のデータからファクシミリ送信するためにＭＨ／ＭＲ形式に変換し［図５（１４）参照］、送信先電話番号に発呼してファクシミリ送信を行う［図５（１５）参照］。ファクシミリ送信完了後は、その旨をテレビ２０に送信し［図５（１６）参照］、表示部２０８に表示させて利用者に報知する。
【００６０】
このとき、ファクシミリ送信が正常に終了しなかった場合及びファクシミリ送信不可能なファイル（例えば、オーディオ・ファイルやビデオ・ファイル）が送信するように選択されていた場合には、送信エラー通知をエラーの理由と共にテレビ２０に送信するようにすると、利用者は送信エラーが起こったことがわかる上、どのような理由でエラーが起きたかがわかり、再度送信するときの手助けとなる。
【００６１】
なお、図５（１）〜（６）により、テレビ２０の表示部２０８にファクシミリ送信されてきたファクシミリデータ（ファクシミリイメージ・ファイルＦ２）を表示できるため、複合機１０が備える小さな表示画面で閲覧する必要がなく、テレビという解像度の高い大きな画面でファクシミリ文書の閲覧が可能となる。それにより、複合機１０の小さな表示画面では読みづらかった小さなテキストの文章でも読みやすくなる。さらに、ファクシミリ装置本体にまで行かなくてもテレビのあるところならどこでもテレビの操作だけでファクシミリ文書の閲覧が可能であるため、非常に便利である。
【００６２】
また、記憶部１１０が記憶しておくデータは、ＪＰＥＧ形式のデータだけなので、記憶容量を節約することができる。
【００６３】
さらに、テレビ２０が表示したファクシミリイメージ・ファイルＦ２を編集、加工することができるため、受信したファクシミリデータに追記して転送することが可能である。それにより、一度用紙に印刷出力して追記、編集する手間をかけずファクシミリ送信することができ、利用者の作業負担を軽減することができる。
【００６４】
また、複合機１０からテレビ２０に送信されるのは［図５（２）参照］、ファイル選択画面を構成し、記憶部１１０に記憶されているファイルを特定するためだけのデータサイズの小さいサムネイル用画像データでよいので、テレビ２０の記憶容量が小さい場合でも、ＭＨ／ＭＲ形式のファクシミリデータを変換したサイズの大きなＪＰＥＧデータを記憶し直接ファイル選択画面で表示させる場合よりも、多くの種類のサムネイルを記憶でき、それにより利用者が選択できるファイルを多く表示することができる。そして、テレビ２０では、データサイズの小さなファイルを主に取り扱えばよいので、処理負担の軽減が図れるとともに、複合機１０とテレビ２０との間のネットワークのトラフィックの軽減も可能である。
【００６５】
本第１実施形態では、テレビ２０の表示に基づいてファクシミリ送信するファイルを決定しているが、もちろん複合機１０が備える表示部１１８の表示に基づいてファクシミリ送信してもよいことは言うまでもない。その場合も、操作部１１６により送信ファイルを決定した後、ＪＰＥＧ形式からＭＨ／ＭＲ形式のデータに変換してファクシミリ送信される。
【００６６】
（第２実施形態）
第１実施形態では、図６のＳ６０５で受信したＭＨ／ＭＲ形式のファクシミリデータを一時的に制御部１００のＲＡＭ内のバッファに保存し、ＪＰＥＧ形式のデータに変換後は削除したが、本第２実施形態は、図７に示すファクシミリ受信処理フローのように、変換したＪＰＥＧ形式のデータと共に、受信したＭＨ／ＭＲ形式のファクシミリデータも記憶部１１０のファクシミリ・フォルダ１１０ｂにファクシミリイメージ・ファイルＦ２として記憶しておく構成を備えている。
【００６７】
以下、ネットワーク対応ファクシミリとして機能する複合機１０の動作について、第１実施形態とは異なる点について説明する。
【００６８】
まず、複合機１０は、電話回線を介して送信されてきたファクシミリデータを受信する［図５（１）参照］と、図７のフローに示すようにファクシミリ受信処理を行う。
【００６９】
図７のファクシミリ受信処理では、複合機１０は、一般的なファクシミリデータの圧縮方式であるＭＨ／ＭＲ形式でデータを受信し（Ｓ７０５）、ファクシミリ・フォルダ１１０ｂにファクシミリイメージ・ファイルＦ２として記憶する（Ｓ７１０）。
【００７０】
そして、制御部１００は、その受信したファクシミリデータをテレビ２０の表示部２０８に表示するため、格納されたＭＨ／ＭＲ形式のファクシミリイメージ・ファイルＦ２を、ＪＰＥＧ形式の画像データに変換し（Ｓ７１５）、受信したＭＨ／ＭＲ形式のファクシミリデータとは別に、ファクシミリ・フォルダ１１０ｂにファクシミリイメージ・ファイルＦ２として記憶する（Ｓ７２０）。さらに、この変換されたＪＰＥＧ形式のデータを基に、その変換されたＪＰＥＧ形式のデータまたはその変換元となったＭＨ／ＭＲ形式のファクシミリデータを特定し、かつ、ファイル選択画面に表示させるためのＪＰＥＧ形式のサムネイル用画像データを作成する（Ｓ７２５）。このＪＰＥＧ形式に変換された画像データ及び受信したＭＨ／ＭＲ形式のファクシミリデータと、それらデータを特定するサムネイル画像との対応関係は図１３のように関係付けられ、記憶部１１０に記憶される。そして、その対応関係はファイル選択画面においてサムネイルを選択することによるファイル選択時に、その選択したサムネイルに対応する記憶部１１０ｂに記憶されたファクシミリイメージ・ファイルＦ２（ＭＨ／ＭＲ形式もしくはＪＰＥＧ形式）を特定するために利用される。
【００７１】
このような処理を行うことで、複合機１０にはテレビ２０で表示するＪＰＥＧ形式のデータ以外にＭＨ／ＭＲ形式のファクシミリデータを備えることになるため、ファクシミリ送信するファイルとしてＭＨ／ＭＲ形式のファクシミリデータを特定するサムネイルが選択された場合、ファクシミリ送信時に、図５（１４）のステップを省略することが可能となる。これにより、ＪＰＥＧ形式のデータからＭＨ／ＭＲ形式への変換時間を必要としないため、送信処理時間を短縮することができる。
【００７２】
ここで、図５（６）でファクシミリイメージ・ファイルＦ２を操作部２０６で編集した場合は、それらの編集内容は編集情報として随時複合機１０に送信され［図５（７）参照］、利用者による保存指示により該当するＪＰＥＧ形式のデータは更新される。そして、それと共にサムネイル用画像データ作成も行われ、ＵＰｎＰ（登録商標）のマルチキャストにより更新されたファクシミリイメージ・ファイルＦ２のサムネイル画像をファクシミリ表示領域Ｈ２に表示することができる。この場合、更新し、ファクシミリ・フォルダ１１０ｂに記憶されたＪＰＥＧ形式のファクシミリイメージ・ファイルＦ２に対して図５（１４）のステップを実行することで、更新されたＪＰＥＧ形式のファクシミリイメージ・ファイルＦ２をＭＨ／ＭＲ形式に変換する。これにより、編集したＪＰＥＧ形式のファクシミリイメージ・ファイルＦ２だけファクシミリ送信の際、改めてＭＨ／ＭＲ形式のファクシミリデータを作成するため、編集後の内容でファクシミリを送信することができる。
【００７３】
（第３実施形態）
第１，２実施形態では、ファクシミリデータを始めとした各種データを複合機１０の記憶部１１０に記憶しているが、本第３実施形態では、複合機１０が受信したＭＨ／ＭＲ形式のファクシミリデータをＪＰＥＧ形式のデータに変換し、テレビ２０にその変換後のデータを送信して記憶部２１２に記憶させる構成を採用したものである。
【００７４】
図８は、複合機１０とテレビ２０との間でやり取りされる各種データの伝送手順、複合機１０及びテレビ２０で実行されるファクシミリ送受信に関わる処理、利用者が行う操作等を、時系列に沿って示したタイミングチャートである。第３実施形態におけるこのタイミングチャートは、複合機１０が受信したファクシミリデータをＪＰＥＧ形式のデータに変換し、テレビ２０にその変換後のＪＰＥＧ形式のデータを送信して記憶部２１２に記憶している場合の例である。このときテレビ２０が備える記憶部２１２のフォルダ構成は、第１実施形態で説明した図２（１１０ａ，１１０ｂ，１１０ｃ，１１０ｄ）と同様の構成をしている。
【００７５】
以下、ネットワーク対応ファクシミリとして機能する複合機１０の動作について、第３実施形態に特徴的な点について説明する。
【００７６】
まず、複合機１０は、電話回線を介して送信されてきたファクシミリデータを受信すると［図８（１）参照］、図９のフローに示すようにファクシミリ受信処理を行う。
【００７７】
図９のファクシミリ受信処理では、複合機１０は、一般的なファクシミリデータの圧縮方式であるＭＨ／ＭＲ形式でデータを受信し（Ｓ９０５）、制御部１００のＲＡＭ内のバッファに一時的に格納する。
【００７８】
そして、制御部１００は、ＬＡＮ３０に接続されたテレビ２０にファクシミリデータを転送するため、バッファに格納されたＭＨ／ＭＲ形式のファクシミリデータを、ＪＰＥＧ形式の画像データに変換する（Ｓ９１０）。この変換は、ネットワーク対応機器であるテレビ２０が取り扱うことができるデータ形式にするためである。
【００７９】
そして、変換後のＪＰＥＧ形式のデータをファクシミリイメージ・ファイルＦ２としてテレビ２０に送信する［図８（２）参照］。これにより、記憶部２１２内のファクシミリ・フォルダ１１０ｂ内にファクシミリイメージ・ファイルＦ２が格納される。そして、テレビ２０はそのＪＰＥＧ形式のファクシミリイメージ・ファイルＦ２を基に、そのファイルを特定し、かつ、ファイル選択画面に表示させるためのＪＰＥＧ形式のサムネイル用画像データを作成し、記憶部２１２に格納する。これにより、図３に示すファイル選択画面内のファクシミリ領域Ｈ２の中に、ファクシミリイメージ・ファイルとしてサムネイル画像が表示される。
【００８０】
続いて、バッファに格納されたＭＨ／ＭＲ形式のファクシミリデータは削除される。
【００８１】
なお、ファイル選択画面に表示されるサムネイルは、ファクシミリイメージ・ファイルＦ２を縮小表示したものであってもよいし、ファクシミリイメージ特有のアイコンであってもよく、ファイル選択画面のサムネイルと記憶部２１２のファクシミリ・フォルダ１１０ｂ内のファクシミリイメージ・ファイルＦ２が対応しておりファクシミリイメージ・ファイルＦ２を特定できるようになっていればよい。この対応関係は図１２のように関係付けられ、記憶部２１２に記憶される。また、サムネイル用画像データは、複合機１０が、受信したファクシミリデータをＪＰＥＧ形式に変換するときに同時に作成し、それをテレビ２０に送信してもよい。
【００８２】
ここで、利用者がファクシミリ領域Ｈ２に表示されているサムネイルを操作部２０６で選択することにより、選択されたサムネイルにより特定されるファクシミリイメージ・ファイルＦ２がファクシミリ・フォルダ１１０ｂから読み出され、表示部２０８上で閲覧が可能となっている。さらに、操作部２０６を利用して表示されたファクシミリデータに文字やイラストを追加して編集することが可能となっており［図８（３）参照］、利用者による保存指示により該当するファクシミリデータは記憶部２１２のファクシミリ・フォルダ１１０ｂにファクシミリイメージ・ファイルＦ２として更新保存される。それに伴い、更新されたデータから改めてサムネイル画像データが作成され、ファクシミリ領域Ｈ２のサムネイル画像は更新される。
【００８３】
続いて、本ネットワークシステム１の利用者が、ファクシミリ送信したいファイルのサムネイルを操作部２０６によりファイル選択画面内から選択し、その選択したファイルのサムネイルをファクシミリ領域Ｈ２内のファクシミリ送信指示アイコンＩ１上に、ドラッグしてドロップすると［図８（４）参照］、その操作がその選択したサムネイルにより特定される記憶部２１２に記憶されているデータをファクシミリ送信するという命令として複合機１０に伝えられると共に、サムネイルにより特定されたファクシミリイメージ・ファイルＦ２も複合機１０に送信される［図８（５）参照］。
【００８４】
その命令によりファクシミリ送信処理を開始した複合機１０は、テレビ２０に選択されたファクシミリイメージ・ファイルＦ２のファクシミリ送信先要求を送信し［図８（６）参照］、利用者へ送信先電話番号入力を促す表示を表示部２０８にする。そして、操作部２０６による利用者からの送信先電話番号が入力されると［図８（７）参照］、その電話番号が複合機１０に送信される［図８（８），（９）参照］。
【００８５】
複合機１０では、テレビ２０から送られてきたファイルのデータ形式をＪＰＥＧ形式からファクシミリ送信するためにＭＨ／ＭＲ形式に変換し［図８（１０）参照］、送信先電話番号に発呼してファクシミリ送信を行う［図８（１１）参照］。ファクシミリ送信完了後は、その旨をテレビ２０に送信し［図８（１２）参照］、表示部２０８に表示させて利用者に報知する。
【００８６】
本第３実施形態では、記憶部２１２が記憶しておくデータは、ＪＰＥＧ形式のデータだけなので、記憶容量の使用を節約することができる。さらに、複合機１０はファクシミリデータを変換して転送するだけでよいので、大きな記憶容量を必要としなくてもよい。
【００８７】
また、図９とは異なり、図１０のファクシミリ受信処理フローのように、受信したＭＨ／ＭＲ形式のデータを記憶部１１０のファクシミリ・フォルダ１１０ｂに記憶しておき（Ｓ１００５，Ｓ１０１０）、ＪＰＥＧ形式の画像データを作成してもよい（Ｓ１０１５）。その場合は、変換後のＪＰＥＧ形式の画像データをテレビ２０に送信し、テレビ２０が受信した変換後のＪＰＥＧ形式の画像データを基に、その変換された画像データ及びその変換元となったＭＨ／ＭＲ形式のデータを特定し、かつ、ファイル選択画面に表示させるためのサムネイル用画像データを作成する。そして、複合機１０は、サムネイルとそのサムネイルにより特定されるＪＰＥＧ形式の画像データ及びＭＨ／ＭＲ形式のデータとの対応関係を記憶部１１０に記憶しておく。その対応関係は図１３のように関係付けられている。そうすれば、テレビ２０が受信、保存するＪＰＥＧ形式のファクシミリデータが編集、加工されずに他のファクシミリ装置へ転送するようサムネイルの選択による指示があれば、対応関係によりそのサムネイルから特定されるファクシミリイメージ・ファイルＦ２は、複合機１０の記憶部１１０ｂに格納されているので、改めてテレビ２０が備えるＪＰＥＧ形式のデータを複合機１０に転送し、ＭＨ／ＭＲ形式のデータに変換してファクシミリ送信する必要がない。そのため、ファクシミリ送信の度にテレビ２０から複合機１０にＪＰＥＧ形式のデータを送信しなくてもよいので、ＬＡＮ３０のトラフィックの軽減や変換にかかる複合機１０の処理を軽減することができる。
【００８８】
一方、テレビ２０の記憶部２１２に記憶されたファクシミリ送信をしたいデータが編集、加工された場合には、編集等したＪＰＥＧ形式のデータを複合機１０に転送して、ＭＨ／ＭＲ形式に変換した後、ファクシミリ送信すればよい。
【００８９】
（第４実施形態）
第１実施形態では、ＭＨ／ＭＲ形式のファクシミリデータをＪＰＥＧ形式に変換後、ＪＰＥＧ形式のデータは保存し、ＭＨ／ＭＲ形式のデータは保存しない旨に構成されているが、その逆であってもよい。つまり、ＭＨ／ＭＲ形式のファクシミリデータだけを保存しておいて、テレビ２０にファクシミリデータを送信するときにだけＪＰＥＧ形式に変換してもよい。その処理としては、まずＭＨ／ＭＲ形式のファクシミリデータを受信した複合機１０は、そのファクシミリデータを記憶部１１０ｂに保存し、そのデータを基に表示部２０８に表示するＪＰＥＧ形式のサムネイル用画像データを作成する。そして、そのサムネイル用画像データをテレビ２０に送信する。なお、そのサムネイルと変換元のＭＨ／ＭＲ形式のデータとの対応関係は記憶部１１０に記憶されており、ファイル選択画面上でのサムネイルの選択により、対応関係に基づき、そのサムネイルにより特定されるＭＨ／ＭＲ形式のデータが選択されるようになっている。
【００９０】
そして、第１実施形態と同様に、利用者による操作部２０６の操作によりファイル選択画面上でサムネイルが選択されると、テレビ２０から送られてくる、閲覧，編集等のためのファイル選択情報を複合機１０が受信し、その情報に応じたファイルをテレビ２０に送信する［図５（５）参照］。その際、図１１に示すようなファイル送信処理を実行するとよい。このファイル送信処理は、送信するファイルがネットワーク対応機器により取り扱うことができないデータ形式のファイルの場合に、ネットワーク対応機器が利用可能なデータ形式のファイルに変換する処理である。
【００９１】
まず、テレビ２０からファイル選択画面のサムネイルの選択によるファイル送信要求があると（Ｓ１１０５）、制御部１００は、その選択されたサムネイルに対応する記憶部１１０に記憶されたファイルのデータ形式がネットワーク対応機器が利用可能なデータ形式か否か判断する（Ｓ１１１０）。そして、ＪＰＥＧ形式等のネットワーク対応機器が利用可能なデータ形式であると判断すると（Ｓ１１１０：ＹＥＳ）、選択されたサムネイルに対応するファイルをそのままテレビ２０に送信する（Ｓ１１１５）。この場合は、以前に図５（６），（７）の編集処理を行い、ＪＰＥＧ形式のまま記憶部１１０のファクシミリ・フォルダ１１０ｂに更新保存された場合が想定される。
【００９２】
一方、ネットワーク対応機器が利用可能なデータ形式ではないと判断すると（Ｓ１１１０：ＮＯ）、その選択されたサムネイルに対応するファイルをネットワーク対応機器が利用可能なデータ形式に変換する（Ｓ１１２０）。そして、その変換したデータをテレビ２０に送信する（Ｓ１１２５）。
【００９３】
この処理（Ｓ１１２０，Ｓ１１２５）を行えば、既にネットワーク対応機器が利用可能なデータ形式のファイルを再びネットワーク対応機器が利用可能なデータ形式に変換する無駄な処理を防ぐことができる。
【００９４】
以上、本発明の実施形態について説明したが、本発明は上記実施形態に限定されるものではなく、本発明の技術的範囲に属する限り種々の形態を採ることができる。
【００９５】
例えば上記実施形態では、記憶部１１０が複合機１０の中に、または記憶部２１２がテレビ２０の中に含まれているものを示した。しかし、記憶部１１０または記憶部２１２を含む記憶装置がＬＡＮ３０上において単独で存在するようにしてもよい。即ち、この記憶装置を、記憶装置全体の動作を制御する制御部と、記憶部１１０または記憶部２１２と、ＬＡＮ３０を介して複合機１０及びテレビ２０との間でデータ通信を行う通信部とから構成されるようにする。
【００９６】
また、上記実施形態では、図２に示すフォルダの構成は、イメージ・フォルダ１１０ａ内にファクシミリ・フォルダ１１０ｂが含まれていたが、これに限られることはなく、ファクシミリ・フォルダ１１０ｂがイメージ・フォルダ１１０ａ外に単独で存在していてもよいし、ファクシミリ・フォルダ１１０ｂ自体がなく、ファクシミリイメージ・ファイルＦ２がイメージ・フォルダ１１０ａ内に存在している構成でもよい。
【００９７】
なお、上記実施形態では、ファクシミリ仮想ファイルＦ２０がファクシミリ・フォルダ１１０ｂ内に格納されるものを示した。しかし、ファクシミリ仮想ファイルＦ２０が、ファクシミリ・フォルダ１１０ｂ内に含まれず、さらにイメージ・フォルダ１１０ａ，オーディオ・フォルダ１１０ｃ及びビデオ・フォルダ１１０ｄの何れにも含まれることなく、これらのフォルダと同じ階層で記憶部１１０もしくは記憶部２１２に格納されるようにしてもよい。これにより、ファクシミリアイコンＩ１が、フォト表示領域Ｈ１，ファクシミリ表示領域Ｈ２，オーディオ表示領域Ｈ３及びビデオ表示領域Ｈ４の何れにも含まれない状態で表示される。
【００９８】
また、上記実施形態では、出力装置に出力されるデータとしてファクシミリデータを例に取り上げたが、それに限ることはなく、音声データでも動画データでもよい。その場合の出力装置はテレビの他に、ステレオ等のオーディオ機器も考えられる。
【００９９】
また、上記実施形態では、表示部２０８に表示されるファイル選択画面のサムネイルを操作部２０６により選択することでそのサムネイルに対応するファイルを記憶部１１０もしくは記憶部２１２から読み出し、表示部２０８に表示しているが、ＬＡＮ３０の外部からファクシミリデータを受信したとき、制御部１００は受信したファクシミリデータをＪＰＥＧ形式に変換すると、テレビ２０にそのＪＰＥＧ形式のデータを送信し、ファイル選択画面のそのサムネイルを選択しなくても、表示部２０８に表示するよう構成されていてもよい。そのような構成により利用者にファクシミリデータを受信した旨とそのファクシミリ内容を知らせることができ、利用者はそのファクシミリデータを示すサムネイルの選択をする手間を省け、受信すると直ちにファクシミリ内容を確認することができる。
【図面の簡単な説明】
【０１００】
【図１】ネットワークシステム１の構成を示すブロック図。
【図２】第１実施形態における記憶部１１０内のフォルダ構成及び第３実施形態における記憶部２１２内のフォルダ構成を説明する図。
【図３】ファイル選択画面を示す図。
【図４】第１実施形態におけるネットワーク対応機器確認処理を表すフローチャート。
【図５】第１実施形態におけるネットワークシステムの動作について一例を示すタイミングチャート。
【図６】第１実施形態におけるファクシミリ受信処理を表すフローチャート。
【図７】第２実施形態におけるファクシミリ受信処理を表すフローチャート。
【図８】第３実施形態におけるネットワークシステムの動作について一例を示すタイミングチャート。
【図９】第３実施形態におけるファクシミリ受信処理を表すフローチャート。
【図１０】第３実施形態におけるファクシミリ受信処理を表すフローチャート。
【図１１】第１実施形態におけるファイル送信処理を表すフローチャート。
【図１２】サムネイル画像とファクシミリイメージ・ファイルＦ２（ＪＰＥＧ形式）との対応関係を示したテーブル。
【図１３】サムネイル画像とファクシミリイメージ・ファイルＦ２（ＪＰＥＧ形式及びＭＨ／ＭＲ形式）との対応関係を示したテーブル。
【符号の説明】
【０１０１】
１…ネットワークシステム、１０…複合機、２０…テレビ、３０…ＬＡＮ、４０…電話回線、１００…制御部、１０２…記録部、１０４…読取部、１０６…音声入力部、１０８…音声出力部、１１０…記憶部、１１２…回線通信部、１１４…通信部、１１６…操作部、１１８…表示部、２００…制御部、２０２…通信部、２０４…音声出力部、２０６…操作部、２０８…表示部、２１０…リモコン受信部、２１２…記憶部
【図１】
2007180678.tif 000003
【図２】
2007180678.tif 000004
【図３】
2007180678.tif 000005
【図４】
2007180678.tif 000006
【図５】
2007180678.tif 000007
【図６】
2007180678.tif 000008
【図７】
2007180678.tif 000009
【図８】
2007180678.tif 000010
【図９】
2007180678.tif 000011
【図１０】
2007180678.tif 000012
【図１１】
2007180678.tif 000013
【図１２】
2007180678.tif 000014
【図１３】
2007180678.tif 000015